(57)【要約】【課題】  観光乗物（観光バス３０）の乗客がその観光乗物での移動中に、該観光乗物で訪れた全観光地の一連の電子アルバムを時間の無駄なく効率的にかつ容易に作成できるようにする。【解決手段】  観光スケジュール情報や観光情報（第１の表示画面）が表示される端末装置１のモニタ画面に、観光乗物の進行状況に従って第２の表示画面を表示させ、この第２の表示画面が表示されているときに、上記端末装置１を、該端末装置１のデータ入力部に挿入された記録媒体に記録されているデジタル画像データを読取入力して該デジタル画像データの編集を行うための編集モードに設定することが可能になるようにする。【選択図】  図１
2005346575.tif 000002
【特許請求の範囲】
【請求項１】
デジタル画像データを入力するデータ入力部とモニタ画面とを有する１つ又は複数の端末装置を備え、観光乗物に搭載される写真データ処理システムであって、
予め入力された、観光予定地を含む観光スケジュール情報及び該観光予定地の観光情報を記憶する記憶手段と、
上記モニタ画面に、上記記憶手段に記憶された観光スケジュール情報又は観光情報を第１の表示画面として表示させる第１の表示画面表示手段と、
上記モニタ画面に、上記観光乗物の進行状況に従って第２の表示画面を表示させる第２の表示画面表示手段とを備え、
上記第２の表示画面表示手段により上記モニタ画面に第２の表示画面が表示されているときに、上記端末装置を、該端末装置のデータ入力部に入力されたデジタル画像データの編集を行うための編集モードに設定することが可能に構成されていることを特徴とする写真データ処理システム。
【請求項２】
請求項１記載の写真データ処理システムにおいて、
複数の端末装置が、観光乗物における乗客の座席毎にそれぞれ設けられていることを特徴とする写真データ処理システム。
【請求項３】
請求項１又は２記載の写真データ処理システムにおいて、
観光乗物に、ナビゲーション装置が搭載されており、
第２の表示画面表示手段は、上記ナビゲーション装置による観光乗物の現在位置情報と記憶手段に記憶された観光スケジュール情報とに基づいて、モニタ画面に第２の表示画面を表示させるように構成されていることを特徴とする写真データ処理システム。
【請求項４】
請求項１〜３のいずれか１つに記載の写真データ処理システムにおいて、
モニタ画面に表示させる表示画面を、第２の表示画面から第１の表示画面に切り換えるための切換操作手段を更に備えていることを特徴とする写真データ処理システム。
【発明の詳細な説明】
【技術分野】
【０００１】
本発明は、観光バス等の観光乗物に搭載されて、該観光乗物内で、その乗客が観光地で撮影した写真の電子アルバムを作成可能な写真データ処理システムに関する技術分野に属する。
【背景技術】
【０００２】
従来より、観光バス等の観光乗物内において、その乗客が観光地でデジタルカメラにより撮影したデジタル画像データをモニタ画面に表示させたり、乗客が希望する写真のプリント出力を行ったり、或いはネットワークを介したデータ送信等を行ったりすることができる装置が提案されている（例えば特許文献１及び２参照）。このような装置を観光バスに設置することで、乗客が他の乗客と共に楽しみながら写真を鑑賞することができるとともに、その場で写真プリントが得られたり注文したりすることができ、乗客の利便性が向上するという利点を有している。
【０００３】
一方、観光乗物の乗客は、観光スケジュールが全て終了した後に、撮影した写真を整理することになるが、この整理がかなり面倒であり、デジタル画像データを単に記録媒体に保存したままであるか、又はプリントした写真をそのまま放ってあることが多い。
【０００４】
そこで、上記従来の装置では、観光客が撮影したデジタル画像データと、予め格納された風景画像や観光スケジュール等の文字情報とを重ね合わせてプリント出力できるようにし、このことで、アルバム形式の写真プリントが得られるようにしている。
【特許文献１】特開２００２−１２２９４８号公報
【特許文献２】特開２００３−２５００１６号公報
【発明の開示】
【発明が解決しようとする課題】
【０００５】
ところで、観光乗物で観光する場合には、複数の観光地を観光することが多く、上記従来の装置の考え方を用いて、上記各観光地毎に、撮影したデジタル画像データと当該観光地の観光情報等とを重ね合わせるデータ編集を行って、その観光乗物で訪れた全観光地の一連の電子アルバムを作成できるようにすれば、観光乗物の乗客の利便性がより一層向上すると考えられる。
【０００６】
しかし、このような電子アルバムを観光スケジュールが全て終了した後に作成しようとすると、訪れた観光地が多ければ多いほど、どのデジタル画像データをどのような情報と重ね合わせるかという作業が煩雑となり、その作業に時間がかかって、全観光地の一連の電子アルバムを容易に作成できないという問題がある。
【０００７】
本発明は、斯かる点に鑑みてなされたものであり、その目的とするところは、観光乗物の乗客がその観光乗物での移動中に、該観光乗物で訪れた全観光地の一連の電子アルバムを時間の無駄なく効率的にかつ容易に作成できるようにすることにある。
【課題を解決するための手段】
【０００８】
上記の目的を達成するために、この発明では、観光スケジュール情報や観光情報（第１の表示画面）が表示される端末装置のモニタ画面に、観光乗物の進行状況に従って第２の表示画面を表示させ、この第２の表示画面が表示されているときに、上記端末装置を、該端末装置のデータ入力部に入力されたデジタル画像データの編集を行うための編集モードに設定することが可能になるようにした。
【０００９】
具体的には、請求項１の発明では、デジタル画像データを入力するデータ入力部とモニタ画面とを有する１つ又は複数の端末装置を備え、観光乗物に搭載される写真データ処理システムを対象とする。
【００１０】
そして、予め入力された、観光予定地を含む観光スケジュール情報及び該観光予定地の観光情報を記憶する記憶手段と、上記モニタ画面に、上記記憶手段に記憶された観光スケジュール情報又は観光情報を第１の表示画面として表示させる第１の表示画面表示手段と、上記モニタ画面に、上記観光乗物の進行状況に従って第２の表示画面を表示させる第２の表示画面表示手段とを備え、上記第２の表示画面表示手段により上記モニタ画面に第２の表示画面が表示されているときに、上記端末装置を、該端末装置のデータ入力部に入力されたデジタル画像データの編集を行うための編集モードに設定することが可能に構成されているものとする。
【００１１】
上記の構成により、観光乗物の乗客は第１の表示画面により観光スケジュールを確認したり観光予定地の観光情報を閲覧したりすることができる。そして、観光乗物の進行状況に従って（例えば観光が終了した観光地を出発してから次の観光予定地に到着するまでの間に）第２の表示画面に切り換わり、このとき編集モードに設定することが可能となる。すなわち、モニタ画面に第２の表示画面が表示されているときに、スイッチ操作等の所定操作を行うことにより、端末装置を編集モードに設定することができる。端末装置が編集モードに設定されると、例えば、予め記憶しておいた複数のテンプレート（直前に観光が終了した観光地に関する画像や情報が載っているもの）と、当該観光地で乗客が撮影したデジタル画像データとをモニタ画面に表示させ、乗客に該デジタル画像データをどのテンプレートと合成するかを選択させることで、デジタル画像データの編集を行う。こうして観光地での観光が終了する毎に、モニタ画面に第２の表示画面を表示させ、編集モードに設定されたときにはデジタル画像データの編集を行うようにし、観光スケジュールが全て終了した後に、その編集した全デジタル画像データをＤＶＤ等の記録媒体に書き込むようにすることで、当該観光乗物で訪れた全観光地の一連の電子アルバムが作成されることになる。したがって、乗客は、観光地での観光が終了する度に、モニタ画面の表示画面が第２の表示画面に切り換わるのに合わせて、観光地で撮影したデジタル画像データの編集を行っていくことができるので、観光乗物で訪れた全観光地の一連の電子アルバムを時間の無駄なく効率的にかつ容易に作成することができる。
【００１２】
請求項２の発明では、請求項１の発明において、複数の端末装置が、観光乗物における乗客の座席毎にそれぞれ設けられているものとする。
【００１３】
このことにより、観光乗物の乗客全員が各自の座席でデジタル画像データの編集を行うことができ、各乗客の利便性をより一層高めることができる。
【００１４】
請求項３の発明では、請求項１又は２の発明において、観光乗物に、ナビゲーション装置が搭載されており、第２の表示画面表示手段は、上記ナビゲーション装置による観光乗物の現在位置情報と記憶手段に記憶された観光スケジュール情報とに基づいて、モニタ画面に第２の表示画面を表示させるように構成されているものとする。
【００１５】
このことで、第２の表示画面を自動的に表示させることができるとともに、乗客が観光地で撮影したデジタル画像データと合成するテンプレートとして、その観光地に適したものを自動的にモニタ画面に表示させるようにすることができる。
【００１６】
請求項４の発明では、請求項１〜３のいずれか１つの発明において、モニタ画面に表示させる表示画面を、第２の表示画面から第１の表示画面に切り換えるための切換操作手段を更に備えているものとする。
【００１７】
このことにより、乗客は、デジタル画像データの編集が終了したとき、又は編集を行わないときに、素早く第１の表示画面に切り換えて、観光スケジュールの確認や次の観光予定地の観光情報等を閲覧することができる。
【発明の効果】
【００１８】
以上説明したように、本発明の写真データ処理システムによると、端末装置のモニタ画面に、観光スケジュール情報や観光情報を第１の表示画面として表示させる第１の表示画面表示手段と、観光乗物の進行状況に従って第２の表示画面を表示させる第２の表示画面表示手段とを備え、この第２の表示画面が表示されているときに、端末装置を編集モードに設定することが可能に構成したことにより、観光乗物の乗客がその観光乗物での移動中に、該観光乗物で訪れた全観光地の一連の電子アルバムを時間の無駄なく効率的にかつ容易に作成することができる。また、この電子アルバムを、帰宅後直ぐに再生して写真を楽しむことができるとともに、写真整理の手間を省くことができる。
【発明を実施するための最良の形態】
【００１９】
以下、本発明の実施形態を図面に基づいて詳細に説明する。
【００２０】
図１は、本発明の実施形態に係る写真データ処理システムの構成を示し、この写真データ処理システムは、観光乗物としての観光バス３０に搭載されたものであって、該観光バス３０における乗客の座席毎（前側にある座席のシートバックの後側）にそれぞれ設けられた複数の端末装置１と、該各端末装置１と接続されて、各端末装置１を制御する中央情報処理装置１１とを備えている。
【００２１】
上記各端末装置１は、図２に示すように、デジタルカメラにより撮影したデジタル画像データを記録したカード型の記録媒体２１が挿入口から挿入されかつ該挿入された記録媒体２１のデジタル画像データを読取入力するデータ入力部２と、タッチパネルによって構成されている液晶型のモニタ画面３と、後述の如く該モニタ画面３に表示されている表示画面を第２の表示画面から第１の表示画面に切り換えるための切換スイッチ４と、音楽や音声等を出力するスピーカ５とを有している。尚、上記記録媒体２１はデジタルカメラによって複数種存在するので、これら複数種のものを読み取り可能に構成しておくことが好ましい。
【００２２】
一方、上記中央情報処理装置１１は、情報処理制御を行うマイクロプロセッサ１２（以下、ＣＰＵという）と、ハードディスク等の記憶装置１３と、ＤＶＤ等のディスク型の記録媒体２２に対して書き込みを行う記録部１４とを有している。上記記憶装置１３には、観光バス３０が乗客を乗せて出発する前に予め入力された、観光予定地（この実施形態では、複数箇所）を含む観光スケジュール情報と、該各観光予定地の観光情報と、該各観光予定地に関する画像や情報が載っているテンプレート（各観光地毎に複数用意されていて、後述の如く、観光バス３０の乗客が、観光地でデジタルカメラにより撮影したデジタル画像データと合成するために好みのものを選択する）とが記憶されている。尚、上記テンプレートには、音楽や音声による観光情報が含まれていてもよい。
【００２３】
また、この観光バス３０にはナビゲーション装置１７が搭載されており、このナビゲーション装置１７は、観光バス３０の運転席に設けた表示画面に、該観光バス３０の現在位置情報を地図上に重畳表示するとともに、該観光バス３０の現在位置情報を上記中央情報処理装置１１に送信するようになっている。
【００２４】
上記中央情報処理装置１１のＣＰＵ１２は、観光バス３０が乗客を乗せて集合場所を出発すると（或いは出発の前であってもよい）、上記各端末装置１のモニタ画面３に、例えば図３に示すように、上記記憶装置１３に記憶された観光スケジュール情報を第１の表示画面として表示させる。そして、乗客が、この観光スケジュール情報が表示されているモニタ画面において観光予定地が表示されている箇所（図３の例では、「ＡＭ  １０：３０  清水寺散策」と表示されている枠内や「ＡＭ  １２：００  金閣寺散策」と表示されている枠内）をタッチすることで、モニタ画面３に、記憶装置１３に記憶された、その観光予定地の観光情報を表示させる（この観光情報を表示する表示画面も第１の表示画面に相当する）。つまり、「ＡＭ  １０：３０  清水寺散策」と表示されている枠内をタッチすると、清水寺の写真や清水寺に関する情報が表示され、この観光情報の表示画面には「戻る」と表示されている箇所があり、この「戻る」と表示されている箇所をタッチすれば、観光スケジュール情報を表示する表示画面に戻るようになっている。このように、モニタ画面３には、後述の如く第２の表示画面に切り換わらない限り、第１の表示画面（観光スケジュール情報又は観光情報の表示画面）が表示されることになる。尚、モニタ画面３に第１の表示画面が表示されているときには、スピーカ５から音楽や音声を流すようにしてもよい。また、乗客の操作により上記第１の表示画面から切り換えて、他の表示画面をモニタ画面３に表示するようにしてもよい。
【００２５】
また、上記ＣＰＵ１２は、上記各端末装置１のモニタ画面３に、観光バス３０の進行状況に従って、上記第１の表示画面から切り換えて、第２の表示画面を表示させるようになっている。具体的には、観光バス３０が最初の観光予定地（図３の例では、清水寺）に到着し、乗客がその観光地での観光を終えると、その観光地を出発することになるが、ＣＰＵ１２は、ナビゲーション装置１７による観光バス３０の現在位置情報と観光スケジュール情報とに基づいて、該出発から次の観光予定地（図３の例では、金閣寺）に到着するまでの間に、モニタ画面３に、上記第１の表示画面から切り換えて、第２の表示画面を表示させるようになっている。尚、上記他の表示画面を表示する場合においては、どのような表示画面が表示されていても、観光バス３０の進行状況に従って、当該表示されている表示画面から切り換えて、第２の表示画面を表示させる。また、第２の表示画面を表示させる際に、元の表示画面から切り換える必要は必ずしもなく、元の表示画面と第２の表示画面とを同時に表示させるようにしてもよい。
【００２６】
そして、上記ＣＰＵ１２は、上記第２の表示画面が端末装置１のモニタ画面３に表示されているときに、その端末装置１を、該端末装置１のデータ入力部２に挿入された記録媒体２１に記録されているデジタル画像データを読取入力して該読取入力されたデジタル画像データの編集を行うための編集モードに設定することを可能にする。この実施形態では、モニタ画面３に第２の表示画面が表示されているときに、データ入力部２に記録媒体２１を挿入する操作を行うことで、端末装置１を編集モードに設定するが、記録媒体２１の挿入とスイッチ操作とを行うことで編集モードに設定するようにしてもよい。上記第２の表示画面は、端末装置１を編集モードに設定するための待ち受け画面であり、例えば「記録媒体を挿入して下さい」という表示がなされるものである。
【００２７】
さらに、上記ＣＰＵ１２は、端末装置１が編集モードに設定されると、直前に観光が終了した観光地（図３の例では、清水寺）に対応する複数のテンプレートと、当該観光地で乗客が撮影した複数（１つであってもよい）のデジタル画像データ（当該端末装置１のデータ入力部２に挿入された記録媒体２１から読取入力したもの）とをモニタ画面３に表示させる（デジタル画像データは画像として表示させる）。尚、直前に観光が終了した観光地に対応したテンプレートかどうかは、ナビゲーション装置１７による観光バス３０の現在位置情報と観光スケジュール情報とに基づいて判断する。また、その観光地で撮影したデジタル画像データかどうかは、デジタル画像データと共に記録されている撮影時間と観光スケジュール情報とに基づいて行う。或いは、記録媒体２１から読取入力した全てのデジタル画像データの中から乗客が選択したものをモニタ画面３に表示させるようにしてもよい。
【００２８】
上記編集モードにおいて、乗客が、各デジタル画像データのそれぞれについて上記複数のテンプレートから好みのものを１つ選択すると、ＣＰＵ１２は、各デジタル画像データとその選択されたテンプレートとを合成してなる写真となるように各デジタル画像データを編集する。この編集したデジタル画像データは、当該端末装置１のモニタ画面３に表示されるとともに、中央情報処理装置１１の記憶装置１３（記憶装置１３とは別個に設けた記憶装置であってもよい）に、当該端末装置１と対応付けて一時記憶しておく。尚、上記編集モードにおいては、所定操作により、別途に設けたマイク等を通して乗客やバスガイドの音声等を入力して上記デジタル画像データと共に記憶できるようにしてもよい。
【００２９】
そして、乗客がデジタル画像データの編集を終えたとき、又は編集を全く行わないときに、切換スイッチ４を操作すると、ＣＰＵ１２は、モニタ画面３に表示させる表示画面を、第２の表示画面から第１の表示画面に切り換える（観光情報の表示画面に切り換える場合には、次の観光予定地の観光情報とする）ようになっている。尚、記録媒体２１をデータ入力部２から取り出す操作が行われたときに、第２の表示画面から第１の表示画面に切り換えるようにしてもよい。
【００３０】
続いて、観光バス３０が次の観光予定地（図３の例では、金閣寺）に到着し、乗客がその観光地での観光を終えると、その観光地を出発することになるが、ＣＰＵ１２は、上記と同様に、ナビゲーション装置１７による観光バス３０の現在位置情報と観光スケジュール情報とに基づいて、該出発から次の観光予定地に到着するまでの間に、モニタ画面３に、第１の表示画面から切り換えて、第２の表示画面を表示させる。そして、乗客が記録媒体２１をデータ入力部２に挿入すると、ＣＰＵ１２は、端末装置１を編集モードに設定し、直前に観光が終了した観光地（図３の例では、金閣寺）に対応する複数のテンプレートと、当該観光地で乗客が撮影した複数（１つであってもよい）のデジタル画像データとをモニタ画面３に表示させ、乗客の選択に基づいてデジタル画像データを編集する。この編集したデジタル画像データを、当該端末装置１で既に編集しかつ記憶装置１３に記憶したデジタル画像データに続けて該記憶装置１３に一時記憶しておく。
【００３１】
こうして観光スケジュールが全て終了すると、各端末装置１毎に記憶装置１３に一時記憶しているデジタル画像データを記録部１４においてＤＶＤ等の記録媒体２２にそれぞれ書き込むことで、各乗客毎に、観光バス３０で訪れた全観光地の一連の電子アルバムが作成されたことになる。そして、乗客はその記録媒体２２を受け取って帰宅し、帰宅後直ぐに再生して写真を楽しむことができる。
【００３２】
上記実施形態においては、中央情報処理装置１１の記憶装置１３が、観光予定地を含む観光スケジュール情報及び該観光予定地の観光情報を記憶する記憶手段を構成し、ＣＰＵ１２が、モニタ画面３に、その記憶手段に記憶された観光スケジュール情報又は観光情報を第１の表示画面として表示させる第１の表示画面表示手段と、モニタ画面３に、観光バス３０の進行状況に従って第２の表示画面を表示させる第２の表示画面表示手段とを構成することになる。また、切換スイッチ４が、モニタ画面３に表示させる表示画面を、第２の表示画面から第１の表示画面に切り換えるための切換操作手段を構成することになる。
【００３３】
したがって、上記実施形態では、端末装置１のモニタ画面３に、観光バス３０の進行状況に従って第２の表示画面を表示させ、この第２の表示画面が表示されているときに、端末装置１を編集モードに設定することが可能に構成したので、乗客は、観光地での観光が終了する度に、モニタ画面３の表示画面が第２の表示画面に切り換わるのに合わせて、観光地で撮影したデジタル画像データの編集を行っていくことができるので、観光バス３０で訪れた全観光地の一連の電子アルバムを時間の無駄なく効率的にかつ容易に作成することができる。
【００３４】
尚、上記実施形態では、本発明の写真データ処理システムを観光バス３０に搭載したが、どのような観光乗物（観光を目的とした乗客を輸送する乗物一般）に搭載してもよく、例えば鉄道、船舶、飛行機等の観光乗物にも搭載することができる。
【００３５】
また、上記実施形態では、データ入力部２は、デジタルカメラにより撮影したデジタル画像データを記録した記録媒体２１の該デジタル画像データを読取入力する構成としたが、デジタルカメラから直接入力する構成であってもよい。この場合、デジタルカメラからデータ入力部にコードを介してデジタル画像データを入力するようにしてもよく、赤外線等のように無線で入力するようにしてもよい。
【００３６】
さらに、上記実施形態では、複数の端末装置１を観光バス３０における乗客の座席毎にそれぞれ設けたが、端末装置１を乗客の座席全てに設ける必要はなく、また端末装置１が１つだけであってもよい。但し、上記実施形態のように乗客の座席毎に設けた方が、乗客全員が各自の座席でデジタル画像データの編集を行うことができて利便性が高まる。
【００３７】
さらにまた、上記実施形態では、各端末装置１のモニタ画面３において第２の表示画面への切り換えを、ナビゲーション装置１７による観光バス３０の現在位置情報と観光スケジュール情報とに基づいて自動的に行うようにしたが、観光バス３０の乗員（運転手やバスガイド等）が、観光バス３０の進行状況に従って、中央情報処理装置１１に対してスイッチ操作等を行うことで、第２の表示画面への切り換えを行うようにしてもよい。
【産業上の利用可能性】
【００３８】
本発明は、観光バス等の観光乗物内で、その乗客が観光地で撮影した写真の電子アルバムを作成する場合に有用である。
【図面の簡単な説明】
【００３９】
【図１】本発明の実施形態に係る写真データ処理システムの構成を示す説明図である。
【図２】端末装置を示す正面図である。
【図３】端末装置のモニタ画面における観光スケジュール情報の表示例を示す図である。
【符号の説明】
【００４０】
１    端末装置
２    データ入力部
３    モニタ画面
４    切換スイッチ（切換操作手段）
１１  中央情報処理装置
１２  ＣＰＵ（第１及び第２の表示画面表示手段）
１３  記憶装置（記憶手段）
１７  ナビゲーション装置
２１  デジタル画像データを記録した記録媒体
【図１】
2005346575.tif 000003
【図２】
2005346575.tif 000004
【図３】
2005346575.tif 000005